(57)【要約】【課題】更なる利便性の向上を可能としたキャップ付き容器を提供する。【解決手段】液体洗浄剤が収容される容器本体と、容器本体の口元部２ｂに装着されると共に、容器本体に収容された液体洗浄剤を注出する注出ノズル５が設けられた注出キャップ３と、注出キャップ３に着脱自在に被せられると共に、液体洗浄剤を注出する際に注出キャップ３から取り外して注出ノズル５から注出された液体洗浄剤を計り取る計量キャップ４とを備え、計量キャップ４には、注出キャップ３に被せた状態のまま内部の液体洗浄剤を、例えば衣服の襟や袖などの部分的な汚れに対して直接塗布することができる塗布ノズル１１が設けられている。【選択図】図２
2007168854.tif 000002
【特許請求の範囲】
【請求項１】
液体が収容される容器本体と、
前記容器本体の口元部に装着されると共に、前記容器本体に収容された液体を注出する第１の注出口が設けられた内側キャップと、
前記内側キャップに着脱自在に被せられると共に、前記液体を注出する際に前記内側キャップから取り外して前記第１の注出口から注出された液体を計り取る計量部が設けられた外側キャップとを備え、
前記外側キャップには、前記内側キャップに被せた状態のまま内部の液体を注出する第２の注出口が開閉自在に設けられていることを特徴とするキャップ付き容器。
【請求項２】
前記第２の注出口が前記第１の注出口よりも小径とされていることを特徴とする請求項１に記載のキャップ付き容器。
【請求項３】
前記内側キャップには、前記第１の注出口を形成する第１のノズルと、前記第１のノズルの基端側に位置する液溜め部と、前記液溜め部に溜まった液体を前記容器本体内に戻す開口部とが設けられていることを特徴とする請求項１又は２に記載のキャップ付き容器。
【請求項４】
前記外側キャップには、前記第２の注出口を形成する第２のノズルと、前記計量部と連通される孔部とが設けられ、
前記第２のノズルは、前記孔部と連通される位置と、前記孔部を閉塞する位置との間で回動可能に設けられていることを特徴とする請求項１〜３の何れか一項に記載のキャップ付き容器。
【請求項５】
前記外側キャップには、前記第２の注出口を開閉するキャップカバーがヒンジ部を介して回動可能に設けられていることを特徴とする請求項１〜３の何れか一項に記載のキャップ付き容器。
【発明の詳細な説明】
【技術分野】
【０００１】
本発明は、キャップ付き容器の改良に関する。
【背景技術】
【０００２】
例えば、液体洗浄剤や液体漂白剤、柔軟仕上げ剤などに用いられる計量キャップ付き容器は、これらの液体を内部に収容する容器本体と、計量キャップと、計量キャップに液体を注出するためのノズルを有して、計量後に計量キャップを被せたときに計量キャップの内側に付着した液体を回収する開口部が設けられたノズルキャップとから構成されている。一方、上述した通常の洗浄剤製品とは別に、容器の先端に塗布部分を設けて、例えば衣服の襟や袖などの部分的な汚れに対して洗剤を直接塗布することができる部分洗い用洗浄剤製品がある。
【０００３】
ところで、このような洗浄剤製品を用いて洗濯などを行う場合、先ず、洗濯物の部分汚れに対して部分洗い用洗剤を塗布し、次に、洗濯物を洗濯機に投入すると共に計量キャップで計量した通常の洗剤を投入してから洗濯を開始する。このため、従来は、部分洗い用洗浄剤製品と通常の洗浄剤製品との２種類を用意しておく必要があり、その他の洗濯洗浄剤も含めたスペースを確保しなければならないことから、その改善が望まれていた。また、部分洗い用洗浄剤製品を持ち合わせていない場合には、通常の洗浄剤製品を計量カップ或いはノズルから直接衣服の襟や袖などに塗布しなければならず、これらは部分的な塗布に適していないことから、必要以上に塗布したり、周囲にこぼしたりしまうなどの不都合が生じていた。
【０００４】
なお、本発明に関連する公知文献としては、例えば下記特許文献１〜４がある。
特許文献１には、容器１の口筒部２に嵌着できる筒体７を設け、この筒体７の内周より下方に延びる円周筒９を設け、内周筒９の下端部１０には液回収孔１１を設けるとともに、下端部１０から注出筒１２を上方に向けて立設し、そして、この筒体７には、筒状キャップ１８を嵌着し、筒状キャッップ１８には、前記注出筒１２の外側を垂下する計量筒２１を設け、この計量筒２１の先端部２２を、前記内周筒９の下部内周面に密接して嵌合するように形成し、さらに、筒状キャップ１８の頂板２８には、注出筒１２の開口１３内に連通する注出孔３０を穿設し、筒状キャップ１８の肩部には、外蓋３７を回動自在に設け、外蓋３７の下面には、注出孔３０に密嵌する閉孔具３９を設けた計量カップ付きキャップが記載されている。
一方、特許文献２には、計量カップの下部分を構成する底部と連設する胴部と前記胴部の上端部近傍の外周に張り出しているフランジを有しかつ容器内部と連通していて前記底部から上方に突出している突出ノズルを有する中栓と、前記中栓の前記胴部と協働して前記計量カップの上部分を構成する胴部と前記胴部の下方に位置している前記胴部よりも大径の係合筒と前記胴部と前記係合筒との間にある肩部と前記係合筒の内面に突出して前記肩部の内面と共働して前記中栓の前記フランジの外縁部を挟持可能な突条部とを有し前記係合筒で容器口部に取付け可能なキャップ本体と、並びに、前記キャップ本体にヒンジ部を介して連結していて前記キャップ本体の上端開放部及び前記吐出ノズルの吐出口を開閉するカバーキャップとを有することを特徴とする計量キャップつき容器が記載されている。
一方、特許文献３には、容器口頸部の上端を塞ぎ中心から偏芯した位置に開口を備えた中間壁と、該中間壁の外周部より垂下して形成され容器口頸部に装着する嵌合部と、該中間壁に該開口と連通して設けられ上方に突出して形成された筒状注出部と、該中間壁の周縁より上方に延び該筒状注出部の上端より低く形成された外筒部と、該外筒部と該筒状注出部との間に形成されたカップ収容空間とを備えた第１の蓋体と、該第１の蓋体に形成されたカップ収容空間に対応した形状を有し該収容空間に収容されるカップ部と、該カップ部の上端にヒンジ結合され該外筒部の上端を閉塞する周縁部と裏面に該筒状注出部の開口端を閉塞する栓を有する上蓋を備えた第２の蓋体と、からなる計量カップ付容器蓋が記載されている。
一方、特許文献４には、薄肉合成樹脂によって形成されたスクイーズボトルの口頸部に装着する容器蓋であって、該口頸部の上端を塞ぎ中央に開口を備えた頂壁と、該頂壁の外周部より垂下して形成され該口頸部に装着する嵌合部と、該頂壁に該開口と連通し上方に突出して形成され外周面に雄ねじ条を備えた筒状注出部とを有する第１の蓋体と、該第１の蓋体の該筒状注出部に形成された雄ねじ条と螺合する雌ねじ条を備えた内側筒部と、該内側筒部の下端に連続して形成され該内側筒部と間隔を設けて上方に延び該内側筒部との間に計量空間を形成する外側筒部と、該外側筒部の上端にヒンジ結合され裏面に前記筒状注出部の開口を閉塞する栓を備えた上蓋とを有する第２の蓋体と、からなる計量カップ機能を備えた容器蓋が記載されている。
しかしながら、これら特許文献１〜４に記載されるキャップ付き容器は、何れも衣服の襟や袖などの部分的な汚れに対して洗剤を直接塗布することについては考慮されていない。
【特許文献１】実開平１−５３０５１号公報
【特許文献２】実開平６−１４０５４号公報
【特許文献３】実開平７−２２４８号公報
【特許文献４】特開平７−６１５６号公報
【発明の開示】
【発明が解決しようとする課題】
【０００５】
本発明は、このような従来の事情に鑑みて提案されたものであり、更なる利便性の向上を可能としたキャップ付き容器を提供することを目的とする。
【課題を解決するための手段】
【０００６】
この目的を達成するために、請求項１に係る発明は、液体が収容される容器本体と、前記容器本体の口元部に装着されると共に、前記容器本体に収容された液体を注出する第１の注出口が設けられた内側キャップと、前記内側キャップに着脱自在に被せられると共に、前記液体を注出する際に前記内側キャップから取り外して前記第１の注出口から注出された液体を計り取る計量部が設けられた外側キャップとを備え、前記外側キャップには、前記内側キャップに被せた状態のまま内部の液体を注出する第２の注出口が開閉自在に設けられていることを特徴とするキャップ付き容器である。
また、請求項２に係る発明は、前記第２の注出口が前記第１の注出口よりも小径とされていることを特徴とする請求項１に記載のキャップ付き容器である。
また、請求項３に係る発明は、前記内側キャップに、前記第１の注出口を形成する第１のノズルと、前記ノズルの基端側に位置する液溜め部と、前記液溜め部に溜まった液体を前記容器本体内に戻す開口部とが設けられていることを特徴とする請求項１又は２に記載のキャップ付き容器である。
また、請求項４に係る発明は、前記外側キャップに、前記第２の注出口を形成する第２のノズルと、前記計量部と連通される孔部とが設けられ、前記第２のノズルが、前記孔部と連通される位置と、前記連通孔を閉塞する位置との間で回動可能に設けられていることを特徴とする請求項１〜３の何れか一項に記載のキャップ付き容器である。
また、請求項５に係る発明は、前記外側キャップに、前記第２の注出口を開閉するキャップカバーがヒンジ部を介して回動可能に設けられていることを特徴とする請求項１〜３の何れか一項に記載のキャップ付き容器である。
【発明の効果】
【０００７】
以上のように、本発明に係るキャップ付き容器では、内側キャップに着脱自在に被せられた外側キャップに計量部を設けることによって、この外側キャップを内側キャップから取り外して第１の注出口から注出された液体を計り取ることができる。さらに、外側キャップに第２の注出口を開閉自在に設けることによって、この外側キャップを内側キャップに被せた状態のまま内部の液体を注出することができる。
したがって、このキャップ付き容器では、外側キャップが計量キャップとしての機能と、第２の注出口から液体を直接塗布するといった機能とを併せ持つことから、これらの機能を使い分けることによって、利便性を更に向上させることができる。
【発明を実施するための最良の形態】
【０００８】
以下、本発明を適用したキャップ付き容器について、図面を参照して詳細に説明する。
（第１の実施の形態）
先ず、図１及び図２に示す本発明を適用したキャップ付き容器１について説明する。
このキャップ付き容器１は、例えば液体として液体洗浄剤が収容された容器本体２と、この容器本体２に装着されたノズルキャップ（内側キャップ）３と、このノズルキャップ３に着脱自在に被せられた計量キャップ（外側キャップ）４とを備えている。
【０００９】
容器本体２は、繰り返し押圧（スクイズ）操作することができるスクイズ容器として、例えばポリエチレン樹脂やポリプロピレン樹脂、ポリエステル樹脂などの比較的軟質な合成樹脂材料をブロー成形によってボトル状に成形したものからなる。この容器本体２の底部から筒状に起立した胴部２ａは、繰り返し弾性変形（スクイズ変形）させることが可能な弾性復元力を有している。そして、この胴部２ａの上部に位置する口元部２ｂには、ノズルキャップ３が螺合によって装着されている。このため、口元部２ｂの外周面には、後述するノズルキャップ３を螺合により固定するためのネジ山２ｃが形成されている。
【００１０】
なお、容器本体２の形状については、図１に示す形状のものに必ずしも限定されるものではなく、使用する際に持ち易く、且つ、スクイズし易い形状のものが好ましい。また、この容器本体２に収容される液体洗浄剤については、従来より一般に使用されている洗浄剤を収容することができる。
【００１１】
ノズルキャップ３は、容器本体２の口元部２ｂを塞ぐように全体が略円筒状に形成された例えばポリエチレン樹脂やポリプロピレン樹脂などのプラスチック部材からなる。このノズルキャップ３の内周面には、容器本体２側のねじ山２ｃに螺合されるねじ山３ａが形成されている。これにより、ノズルキャップ３は、容器本体２の口元部２ｂに装着されている。また、このノズルキャップ３の外周面には、後述する計量キャップ４を螺合により着脱自在とするためのネジ山３ｂが形成されている。
【００１２】
このノズルキャップ３には、注ぎ口（第１の注出口）５ａを形成する注出ノズル（第１のノズル）５と、この注出ノズル５の基端側に位置する液溜め部６と、この液溜め部６に溜まった液体洗浄剤を容器本体２内に戻す戻り口（開口部）７とが設けられている。このうち、注出ノズル５は、ノズルキャップ３の内側に位置し、且つ、このノズルキャップ３の内側を上下に隔てる隔壁８からノズルキャップ３の外側まで起立した状態で設けられている。また、この注出ノズル５は、注ぎ口５ａを部分的に切り抜くスリット５ｂが形成されることによって樋状を呈しており、その先端部がスリット５ｂとは反対側に湾曲している。液溜め部６は、計量キャップ４を被せたときに、この計量キャップ４の内側に付着した液体洗浄剤を回収するため、隔壁８によって形成された底部がスリット５ｂ側に向かって傾斜しており、戻り口７は、この隔壁８の下端部にスリット５ｂと連続した開口部を形成している。
【００１３】
計量キャップ４は、例えばポリエチレン樹脂やポリプロピレン樹脂などのプラスチック部材からなる。この計量キャップ４は、略円形状の底部４ａと、この底部４ａの周囲から立ち上がり形成された略円筒状の内筒部４ｂと、この内筒部４ｂの外側面の中途部から全周に亘って形成されたフランジ部４ｃを介して立ち上がり形成された外筒部４ｄとを有している。そして、この計量キャップ４の底部４ａと内筒部４ｂとから液体洗浄剤を計り取る計量部９が構成されている。一方、外筒部４ｄの内周面には、上述したノズルキャップ３のねじ山３ｂとの螺合されるねじ山４ｅが形成されている。これにより、計量キャップ４は、ノズルキャップ３に対して着脱自在に被せることが可能となっている。
【００１４】
なお、この計量キャップ４は、計量を行い易くするため、透明であることが好ましく、その内筒部４ｂの側面には、容量表示のための目盛り（図示せず。）が設けられている。また、外筒部４ｄの外側面には、この計量キャップ４を回す際の滑り止めとなる複数の溝部１０が全周に亘って設けられている。
なお、計量キャップ４は、このようなノズルキャップ３に外側から嵌合される外嵌合型に限らず、ノズルキャップ３の内側に嵌合される内嵌合型であってもよい。
【００１５】
計量キャップ４には、例えば衣服の襟や袖などの部分的な汚れに対して液体洗浄剤を直接塗布することができる塗布ノズル１１が設けられている。この塗布ノズル１１は、ノズルキャップ３に被せた状態のまま内部の液体洗浄剤を注出する塗り口（第２の注出口）１１ａを形成するものであり、計量キャップ４の底部４ａにヒンジ１２を介して回動可能に設けられている。また、計量キャップ４の底部４ａには、塗布ノズル１１を収納するための収納凹部１３と、この収納凹部１３に計量部９と連通される孔部１４とが設けられている。
【００１６】
塗布ノズル１１は、収納凹部１３に収納される収納位置と、収納凹部１３の側面に当接されて回動が阻止される起立位置との間で略９０゜の角度範囲に亘って回動可能となっている。そして、この塗布ノズル１１は、収納凹部１３に収納された状態にあるとき、収容凹部１３に密着嵌合されることで孔部１３を閉塞する。一方、この塗布ノズル１１は、計量キャップ４の底部４ａから起立した状態にあるとき、その基端部が収容凹部１３に密着嵌合することで孔部１３とが連通された状態となる。したがって、このような塗布ノズル１１の回動操作によって、塗布ノズル１１の塗り口１１ａを開閉することが可能となっている。
【００１７】
また、塗布ノズル１１の先端部には、収納位置にて計量キャップ４よりも外側に張り出した鍔部１５が設けられている。塗布ノズル１１は、この鍔部１５によって収納凹部１３から容易に起立させることが可能となっている。
【００１８】
塗り口１１ａは、液体洗浄剤を直接塗布できるように、上記注出ノズル５の注ぎ口５ａよりも小径とすることが好ましく、具体的には、塗り口１１ａの直径を０．８ｍｍ〜５ｍｍとすることが好ましい。
【００１９】
以上のようなキャップ付き容器１を用いて洗濯などを行う場合には、例えば図３に示すように、計量キャップ４の底部４ａから塗布ノズル１１を起立した状態とし、この計量キャップ４を注出キャップ３に被せた状態のまま、容器本体２をスクイズ操作する。これにより、塗布ノズル１１の塗り口１１ａから注出された液体洗浄剤を洗濯物１００の部分汚れに対して直接塗布するといった操作を行うことができる。
【００２０】
一方、このキャップ付き容器１では、例えば図４に示すように、塗布ノズル１１が収納凹部１３に収納された状態にある計量キャップ４を注出キャップ３から取り外し、容器本体１をスクイズ操作して、注出ノズル５の注ぎ口５ａから注出された液体洗浄剤を計量キャップ４の計量部９で計り取った後に、洗濯機に投入するといった操作を行うことができる。
【００２１】
したがって、このキャップ付き容器１では、注出ノズル５の注ぎ口５ａから注出された液体洗浄剤を計り取る機能と、塗布ノズル１１の塗り口１１ａから注出された液体洗浄剤を直接塗布する機能とを併せ持つことで、更なる利便性の向上を図ることができる。すなわち、このキャップ付き容器１では、簡便な機構でありながら、洗濯物１００の部分汚れに対して液体洗浄剤を直接塗するといった操作と、この洗濯物１００を洗濯機に投入した後に計量キャップ５で計量した液体洗浄剤を投入するといった操作とを１つの容器で行うことができる。
【００２２】
（第２の実施の形態）
次に、図５に示す本発明を適用した別のキャップ付き容器５０について説明する。なお、以下の説明では、上記キャップ付き容器１と同等の部位については、説明を省略すると共に、図面において同じ符号を付すものとする。
【００２３】
このキャップ付き容器５０は、上述した計量キャップ５の代わりに、図５に示すようなノズルキャップ３に着脱自在に被せられる計量キャップ５１を備えている。具体的に、この計量キャップ５１は、例えばポリエチレン樹脂やポリプロピレン樹脂などのプラスチック部材からなる。この計量キャップ５１は、略円形状の底部５１ａと、この底部５１ａとは別体に形成されて該底部５１ａにより上部が閉塞された略円筒状の内筒部５１ｂと、この内筒部５１ｂの外側面の中途部から全周に亘って形成されたフランジ部５１ｃを介して立ち上がり形成された外筒部５１ｄとを有している。そして、この計量キャップ５１の底部５１ａと内筒部５１ｂとから、液体洗浄剤の注出時にノズルキャップ３から取り外して注出ノズル５の注ぎ口ａから注出された液体洗浄剤を計り取る計量部５２が構成されている。一方、外筒部５１ｄの内周面には、上述したノズルキャップ３のねじ山３ｂとの螺合されるねじ山５１ｅが形成されている。これにより、計量キャップ５１は、ノズルキャップ３に対して着脱自在に被せることが可能となっている。
【００２４】
なお、この計量キャップ５１は、計量を行い易くするため、透明であることが好ましく、その内筒部５１ｂの側面には、容量表示のための目盛り（図示せず。）が設けられている。また、外筒部５１ｄの外側面には、この計量キャップを回す際の滑り止めとなる複数の溝部５３が全周に亘って設けられている。
また、計量キャップ５１は、このようなノズルキャップ３に外側から嵌合される外嵌合型に限らず、ノズルキャップ３の内側に嵌合される内嵌合型であってもよい。
【００２５】
計量キャップ５１には、例えば衣服の襟や袖などの部分的な汚れに対して液体洗浄剤を直接塗布することができる塗布ノズル５４が設けられている。この塗布ノズル５４は、ノズルキャップ３に被せた状態のまま内部の液体洗浄剤を注出する塗り口（第２の注出口）５４ａを形成するものであり、底部５１ａの略中央部から突出して設けられている。
【００２６】
塗り口５４ａは、液体洗浄剤を直接塗布できるように、上記注出ノズル５の注ぎ口５ａよりも小径とすることが好ましく、具体的には、塗り口５４ａの直径を０．８ｍｍ〜５ｍｍとすることが好ましい。
【００２７】
また、この計量キャップ５１の底部５１ａには、塗布ノズル５４の塗り口５４ａを開閉するキャップカバー５５がヒンジ部５６を介して回動可能に設けられている。このキャップカバー５５は、ヒンジ部５６を介して底部５１ａと一体に形成されたものであり、塗布ノズル５４と対向する位置に塗り口５４ａに嵌合される栓部５７が突出されている。
【００２８】
以上のようなキャップ付き容器５０を用いて洗濯などを行う場合には、計量キャップ５１を注出キャップ３に被せた状態のままキャップカバー５５を開き、容器本体１をスクイズ操作する。これにより、塗布ノズル５４の塗り口５４ａから注出された液体洗浄剤を洗濯物１００の部分汚れに対して直接塗布するといった操作を行うことができる。
【００２９】
一方、このキャップ付き容器５０では、キャップカバー５５を閉じた計量キャップ４を注出キャップ３から取り外し、容器本体１をスクイズ操作して、注出ノズル５の注ぎ口５ａから注出された液体洗浄剤を計量キャップ５１の計量部５２で計り取った後に、洗濯機に投入するといった操作を行うことができる。
【００３０】
したがって、このキャップ付き容器５０では、注出ノズル５の注ぎ口５ａから注出された液体洗浄剤を計り取る機能と、塗布ノズル５４の塗り口５４ａから注出された液体洗浄剤を直接塗布する機能とを併せ持つことで、更なる利便性の向上を図ることができる。すなわち、このキャップ付き容器５０では、簡便な機構でありながら、洗濯物１００の部分汚れに対して液体洗浄剤を直接塗するといった操作と、この洗濯物１００を洗濯機に投入した後に計量キャップ５１で計量した液体洗浄剤を投入するといった操作とを１つの容器で行うことができる。
【図面の簡単な説明】
【００３１】
【図１】図１は、本発明を適用したキャップ付き容器の外観を示す側面図である。
【図２】図２は、第１の実施の形態として示すキャップ付き容器の要部断面図である。
【図３】図３は、本発明を適用したキャップ付き容器の使用形態の一例を示す斜視図である。
【図４】図４は、本発明を適用したキャップ付き容器の別の使用形態を示す斜視図である。
【図５】図５は、第２の実施の形態として示すキャップ付き容器の要部断面図である。
【符号の説明】
【００３２】
１…キャップ付き容器  ２…容器本体  ３…ノズルキャップ（内側キャップ）  ４…計量キャップ（外側キャップ）  ５…注出ノズル（第１のノズル）  ５ａ…注ぎ口（第１の注出口）  ６…液溜め部  ７…戻り口（開口部）  ９…計量部  １１…塗布ノズル（第２のノズル）  １１ａ…塗り口（第２の注出口）  １３…収納凹部  １４…孔部  ５０…キャップ付き容器  ５１…計量キャップ  ５２…計量部  ５４…塗布ノズル（第２のノズル）  ５４ａ…塗り口（第２の注出口）  ５５…キャップカバー  ５６…ヒンジ部
【図１】
2007168854.tif 000003
【図２】
2007168854.tif 000004
【図３】
2007168854.tif 000005
【図４】
2007168854.tif 000006
【図５】
2007168854.tif 000007